(57)【特許請求の範囲】
【請求項１】
平板状に形成されたベースの一面に１乃至複数の光源を配設してなる光源ブロックと、帯板状に形成されて一面側に１乃至複数の光源ブロックを長手方向に沿って保持する保持体及び当該保持体の長手方向に沿った両側端部より前記一面との間に隙間を空けて折り返された一対の折り返し片を有した枠体と、透光性材料からなり一対の折り返し片の間に開口する開口窓を塞ぐように枠体に装着される１乃至複数の透光パネルと、を備え、
透光パネルは、開口窓内において光源ブロックの光源と対向し各光源が発する光を外部へ透光させる板状の主部と、主部の両側端部より外側に突出して枠体の一対の折り返し片に係止される一対の係止部とを有し、
枠体は、少なくとも長手方向の一端側が開放されており、当該開放された一端側より透光パネルが内部に挿入され、
枠体の内部にて係止部を挟んで折り返し片と対向する位置には、複数のネジ孔が穿設された取付片が配設され、係止部は、複数の孔部が設けられ、取付片のネジ孔に螺合するネジ部の先端が係止部の孔部に嵌合して固定されてなり、
取付片は、折り返し片との間がネジ部の長さ寸法より短くない寸法に設定されていることを特徴とする照明器具。
【発明の詳細な説明】
【技術分野】
【０００１】
本発明は、照明器具に関するものである。
【背景技術】
【０００２】
従来より、光源を覆う透光パネルの交換や保守点検等の作業を容易に行うことができる
照明器具が提供されている（例えば、特許文献１参照）。この種の照明器具は、下面に光
源が配設されて天井面に取り付けられる器具本体に対して、透光性材料により形成された
透光パネルが下方からのネジ止めにより光源を覆うように装着される。従って、透光パネ
ルの交換や保守点検等の作業を行う際に透光パネルのみを容易に取り外すことができる。
しかし、このような照明器具はネジの頭部が透光パネルの下面から外部に露出しているた
め美観を損ねていた。
【０００３】
これに対して従来より、下面が開口する箱型に形成された器具本体と、帯板状に形成さ
れて少なくとも光源が配設されて器具本体の下面を塞ぐように係脱自在に取り付けられる
灯体と、回動支持手段及び固定手段とを備えた照明器具がある。回動支持手段とは、器具
本体の下面一端部を支点に灯体の一端部を回動自在に支持するものである。固定手段とは
、前記回動により灯体が器具本体の下面を塞ぐ位置にあるときに灯体の他端部と器具本体
の下面他端部とを固定するものである。
【０００４】
ここで灯体は、平板状に形成されたベースの一面に１乃至複数の光源を配設してなる光
源ブロックと、帯板状に形成されて上面側に１乃至複数の光源ブロックを長手方向に沿っ
て保持し開口する窓部を通じて光源を下方へ臨ませる枠体と、板状の１乃至複数の透光パ
ネルとから構成される。灯体を組立てる際には、先ず枠体の上方から前記窓部を塞ぐよう
に透光パネルを載置する。次にその上から透光パネルと対向するように光源ブロックを配
設して、更に光源を点灯させる点灯装置等を設置する。尚、光源ブロックと透光パネルと
は例えば枠体の上方からネジ止めにより固定される。そして、この様に組立てられた灯体
は、上述の回動支持手段と固定手段とにより器具本体の下面に取り付けられる。従って、
この照明器具は、ネジの頭部が透光パネル及び枠体の下面から外部に露出することがなく
見映えの良いものとなっている。
【先行技術文献】
【特許文献】
【０００５】
【特許文献１】特開２００１−１２６５２５号公報
【発明の概要】
【発明が解決しようとする課題】
【０００６】
しかしながら、上述した従来の照明器具は、見映えが良くなった代わりに、透光パネル
の交換や保守点検等の作業を行う際には灯体を器具本体から取り外してから更に灯体を解
体する必要があり、また、前記作業を終えた後には再び灯体を組立ててから器具本体に取
り付ける必要があり、非常に作業性の悪いものであった。
【０００７】
本発明は上記事由に鑑みて為されたものであり、その目的は、美観を保ちつつ、透光パ
ネルの交換や保守点検等の作業性を向上させることができる照明器具を提供することにあ
る。
【課題を解決するための手段】
【０００８】
請求項１の発明は、上記目的を達成するために、平板状に形成されたベースの一面に１乃至複数の光源を配設してなる光源ブロックと、帯板状に形成されて一面側に１乃至複数の光源ブロックを長手方向に沿って保持する保持体及び当該保持体の長手方向に沿った両側端部より前記一面との間に隙間を空けて折り返された一対の折り返し片を有した枠体と、透光性材料からなり一対の折り返し片の間に開口する開口窓を塞ぐように枠体に装着される１乃至複数の透光パネルと、を備え、透光パネルは、開口窓内において光源ブロックの光源と対向し各光源が発する光を外部へ透光させる板状の主部と、主部の両側端部より外側に突出して枠体の一対の折り返し片に係止される一対の係止部とを有し、枠体は、少なくとも長手方向の一端側が開放されており、当該開放された一端側より透光パネルが内部に挿入され、枠体の内部にて係止部を挟んで折り返し片と対向する位置には、複数のネジ孔が穿設された取付片が配設され、係止部は、複数の孔部が設けられ、取付片のネジ孔に螺合するネジ部の先端が係止部の孔部に嵌合して固定されてなり、取付片は、折り返し片との間がネジ部の長さ寸法より短くない寸法に設定されていることを特徴とする。
【０００９】
この発明によれば、枠体は、少なくとも長手方向の一端側が開放されており、当該開放
された一端側より透光パネルが内部に挿入されるので、透光パネルの交換や保守点検等の
作業を行う際に、枠体の前記一端側を通じて透光パネルのみを取り外しして再び取り付け
ることができ、光源ブロック等の他部品の取り外しや取り付けといった手間を必要としな
い。従って、美観を保ちつつ、透光パネルの交換や保守点検等の作業性を向上させること
ができる。
【００１１】
また、この発明によれば、取付片は、折り返し片との間がネジ部の長さ寸法より短くない寸法に設定されているので、係止部と取付片とをネジ部で固定する際に、締め付け過ぎてもネジ部の先端が折り返し片に接触することはなく、従って、折り返し片への打痕を防ぐことができる。
【発明の効果】
【００１２】
本発明では、美観を保ちつつ、透光パネルの交換や保守点検等の作業性を向上させるこ
とができるという効果がある。
【図面の簡単な説明】
【００１３】
【図１】本発明の実施形態の灯体の下方斜視図である。
【図２】同上における断面図である。
【図３】同上における平面図を示し、（ａ）は正面図で、（ｂ）は上面図で、（ｃ）は右側面図で、（ｄ）は底面図である。
【図４】同上における灯体を器具本体へ取り付けるときの説明図である。
【図５】同上における要部断面図である。
【発明を実施するための形態】
【００１４】
以下、本発明の実施形態について、図１〜図５を参照して説明する。尚、以下の説明で
は、特に断りのない限り、図２において上下左右方向を規定して図２の正面を前面として
説明を行う。
【００１５】
本実施形態の照明器具１は、図２及び図３に示すように、器具本体２と、灯体３と、回
動支持手段たる引掛部４及び被引掛部５と、固定手段たる固定ネジ６及び固定ネジ６が螺
合するネジ孔（図示せず）とを備えた天井直付型の照明器具である。
【００１６】
器具本体２は、図２及び図３に示すように、例えば１枚の細長い金属板を板金加工によ
り下面が開口する細長矩形箱に形成されてなる。また、器具本体２の下面左端部には前後
両端に亘って被引掛部５が配設される。この被引掛部５は、前記下面左端部から左方向に
延出して且つ上方へ曲折されてなり、前方から見たときに断面Ｌ字形状に形成される。更
に、器具本体２の下面左端部において、図２及び図３（ｂ）に示すように、前後方向に延
びる被引掛部５を前後両端から挟むように、段状に形成された一対のエンド部７，７（図
２では後端のみを図示）が配設される。尚、本実施形態の器具本体２は全体として左右対
称に形成されていて、即ち下面右端部にも同様の被引掛部５及び一対のエンド部７，７が
配設される。
【００１７】
器具本体２上面の中心部には、図２及び図３（ｂ）に示すように、外部電源（商用電源
）に接続された電源線（図示せず）やその他電気線を器具本体２内へ引き込むための電源
孔２ａが貫設される。また、器具本体２上面の前後端には、図３（ｂ）に示すように、長
孔２ｂ，２ｂが各々貫設され、例えばシステム天井の吊りボルト（図示せず）を長孔２ｂ
，２ｂに挿通させてナット（図示せず）に螺合させることで器具本体２が天井面に取り付
けられる。
【００１８】
そして、本実施形態の灯体３は、図１〜図３に示すように、６つの光源ブロック３１と
、枠体３２と、６つの透光パネル３３とから構成される。光源ブロック３１は、正方形に
形成された平板のベース３１ａ下面に光源たる９個のＬＥＤ（発光ダイオード）３１ｂを
前後左右方向に均等に配設してなる。
【００１９】
枠体３２は、図１〜図３に示すように、前後方向に細長い帯板状に形成される保持体３
２ａと、一対の枠部１１，１１とから構成される。保持体３２ａは、図１及び図３に示す
ように、器具本体２よりも外形寸法の大きい１枚の細長い金属板が板金加工により左右両
側端部で上方へ曲折される。このとき当該左右両側端部近傍の縁部には前後方向に亘って
上方へ段状に窪んでなる取付片８，８が各々設けられている。また、保持体３２ａは、図
１に示すように、前後方向に沿って光源ブロック３１の外形寸法よりやや小さい寸法の正
方形状に開口する６つの窓部９を備える（図１では３つのみ図示）。そして、６つの光源
ブロック３１は、各々９個のＬＥＤ３１ｂが窓部９を通じて下方に臨むように保持体３２
ａの上面側で前後方向に並んで保持される。
【００２０】
保持体３２ａの左右側端部には、図１〜図３に示すように、細長矩形板が長手方向に亘
ってコ字形状に曲折されてなる一対の枠部１１，１１が配設される。具体的に説明すると
、枠部１１は、図１及び図２に示すように、縦部１１ａと縦部１１ａの上下両端部から前
後方向に亘って内側へ延出する上延出部１１ｂ及び下延出部１１ｃとから構成される。そ
して、枠部１１，１１は、縦部１１ａが上述した保持体３２ａの上方へ曲折する左右側端
部に各々当接された状態で、例えばネジ止めにより保持体３２ａに固定される。
【００２１】
このように構成される枠体３２は、即ち、図１に示すように取付片８，８の下面から隙
間１０，１０を空けて折り返されてなる一対の折り返し片１２，１２を有する。また、枠
体３２は、図２に示すように、保持体３２ａの左側に配設される枠部１１の上延出部１１
ｂ右端が前後方向に亘って下方に曲折されることで、前方から見たときの断面が全体とし
て略鉤状に形成されてなる引掛部４を有する（図１には図示せず）。
【００２２】
尚、本実施形態の保持体３２ａ上面には、図２に示すように、ＬＥＤ３１ｂを点灯させ
るための点灯回路を備えた点灯装置１５が配設される。前記点灯回路とは、例えば商用交
流電源から給電される電力を整流する整流平滑回路や、整流された電力を直流電力に変換
するコンバータ回路を主な構成要素としている。そして、点灯装置１５で生成された直流
電力が図示しないランプ線を通じて各ＬＥＤ３１ｂへ供給される。また、保持体３２ａ上
面には、この他にも点灯装置１５と電気的に接続されるとともに器具本体２の電源孔２ａ
より引き込まれる図示しない電源線を介して外部電源（商用電源）と接続される端子台１
６が設置される。
【００２３】
透光パネル３３は、図１、図２及び図３（ｄ）に示すように、全体が透光性を有するア
クリル樹脂材料により形成されてなり、主部３３ａと一対の係止部３３ｂ，３３ｂとから
構成される。主部３３ａは、光源ブロック３１の正方形と略同形の板状に形成され、更に
その四方周縁部が上方へ延出することで、全体として上面が開口した扁平な矩形箱に形成
される。そして、主部３３ａは、光源ブロック３１のＬＥＤ３１ｂと対向し、各ＬＥＤ３
１ｂが発する光を外部へ効率良く透光させるために円形状に内側へ窪んでなる９個のレン
ズ部３３ｃを具備する。係止部３３ｂ，３３ｂは、主部３３ａの上方へ延出した左右側端
部から外側に突出してなる。また、係止部３３ｂ，３３ｂの略中央部には、図１に示すよ
うに、孔部３３ｄが１つずつ（図１では１つのみ図示）が外側端部に連通して設けられて
いる。
【００２４】
以下、本実施形態の６つの透光パネル３３を枠体３２へ取り付ける手順について図１及
び５を参照しながら説明する。先ず、上述した通り保持体３２ａの左右両側端部にある取
付片８，８と折り返し片１２，１２との間には前後方向に亘って各々隙間１０，１０が空
いていて、枠体３２の前後端部にて外部と連通するように開放されている（図１参照）。
そこで、透光パネル３３の係止部３３ｂ，３３ｂを枠体３２の前端部または後端部から隙
間１０，１０に挿入し、前後方向に沿ってスライド移動させて透光パネル３３を対応する
光源ブロック３１の下方に配置させる。次に、折り返し片１２，１２に係止する係止部３
３ｂ，３３ｂに対して、孔部３３ｄ，３３ｄと保持体３２ａの取付片８，８に穿設される
ネジ孔（図示せず）との位置合わせを行う。そして、取付片８，８の上面側からネジ１４
を当該ネジ孔に螺合することでネジ１４のネジ部１４ａ先端が孔部３３ｄ，３３ｄに嵌合
して、図５に示すように前後方向のスライド移動が規制され透光パネル３３が枠体３２に
取り付けられる。残りの５つの透光パネル３３についても同様に、隙間１０，１０より順
に挿入してネジ止めすることで、６つの透光パネル３３が一対の折り返し片１２，１２の
間に開口する開口窓を塞ぐように枠体３２に装着される。そして、透光パネル３３の主部
３３ａは、前記開口窓内において光源ブロック３１と対向し、各ＬＥＤ３１ｂが発する光
を外部へ透光させる。
【００２５】
上述のような灯体３は、次のように器具本体２に取り付けられる。先ず、図４に示すように、灯体３を透光パネル３３の配置される側を左方に向けて、その短手方向を上下方向に向けた状態で保持する。次に、灯体３を器具本体２に向かって上方から下方へ降ろして引掛部４を被引掛部５へ引掛かける。これで灯体３は、器具本体２の下面左端部を支点に回動自在に支持される。次に、灯体３に対して反時計回りに回動させて（図４の曲線矢印参照）、器具本体２の下面を塞ぐ位置まで移動させる。そして、図２に示すように、固定ネジ６を灯体３の右端部に貫設される図示しない挿通孔、及び器具本体２の下面右端部に穿設される図示しないネジ孔に対して左方へ螺進させることで灯体３が器具本体２に固定され、保持体３２ａ上面に配設される点灯装置１５や端子台１６が器具本体２内に収納される。
【００２６】
この様に本実施形態の照明器具１は、従来の照明器具と異なりネジの頭部が枠体３２や
透光パネル３３の下面から外部に露出していない。また、透光パネル３３の交換やＬＥＤ
３１ｂの保守点検等の作業を行う際には、固定ネジ６を螺退させて器具本体２から灯体３
を取り外し、ネジ１４を緩めれば枠体３２の前端部または後端部から透光パネル３３のみ
をスライドさせて取り外すことができるので、従来の照明器具のように光源ブロック３１
等の他部品の取り外しや取り付けといった手間を必要としない。従って、美観を保ちつつ
、透光パネルの交換や保守点検等の作業性を向上させることができる。
【００２７】
また、本実施形態の取付片８，８は、図５に示すように、上方へ段状に窪むことで折り
返し片１２，１２との間がネジ１４のネジ部１４ａの長さ寸法より短くない寸法に設定さ
れている。従って、係止部３３ｂ，３３ｂと取付片８，８とをネジ部１４ａで固定する際
に、締め付け過ぎてもネジ部１４ａの先端が折り返し片１２，１２に接触することはなく
、折り返し片１２，１２への打痕を防ぐことができる。
【００２８】
尚、本実施形態の折り返し片１２は、１本の長い枠部１１の一部であったが、この限り
ではなく前後方向に沿って断続的に配設される枠部１１の一部であってもよい。
【符号の説明】
【００２９】
１  照明器具
２  器具本体
３  灯体
４  引掛部
５  被引掛部
１０  隙間
１２  折り返し片
３１  光源ブロック
３１ａ  ベース
３１ｂ  ＬＥＤ
３２  枠体
３２ａ  保持体
３３  透光パネル
３３ａ  主部
３３ｂ  係止部
【図１】
0005426973.tif 000002
【図２】
0005426973.tif 000003
【図３】
0005426973.tif 000004
【図４】
0005426973.tif 000005
【図５】
0005426973.tif 000006